(57)【要約】【課題】複数の種類のゲーム要素を利用したプレイが可能なゲーム機を提供する。【解決手段】ゲーム機１は、小メダルＳＭ及び小メダルＳＭよりも外形が大きい大メダルＢＭを混在した状態で載置する上段プッシャ台１２と、上段プッシャ台１２に載置された小メダルＳＭ及び大メダルＢＭを移動して上段プッシャ台１２から落下させる上段往復テーブル１２ａと、上段プッシャ台１２から落下した小メダルＳＭを通過させかつ上段プッシャ台１２から落下した大メダルＢＭが通過しないように規制する大小メダル選別装置１４と、大小メダル選別装置１４によって規制された大メダルＢＭを搬送するメダル搬送装置１５と、メダル搬送装置１５によって搬送された大メダルＢＭを貯留する大メダル貯留装置１６と、大小メダル選別装置１４を通過し落下した小メダルＳＭを載置する下段プッシャ台１９とを備える。【選択図】図６
2010233784.tif 000002
【特許請求の範囲】
【請求項１】
第１ゲーム要素及び第１ゲーム要素よりも外形が大きい第２ゲーム要素を混在した状態で載置する上段テーブルと、
前記上段テーブルに載置された第１及び第２ゲーム要素を移動して前記上段テーブルから落下させる上段移動部と、
前記上段テーブルから落下した第１ゲーム要素を通過させかつ前記上段テーブルから落下した第２ゲーム要素を通過させないように規制するゲーム要素選別部と、
前記ゲーム要素選別部によって規制された第２ゲーム要素を搬送する第２ゲーム要素搬送部と、
前記第２ゲーム要素搬送部によって搬送された第２ゲーム要素を貯留する第２ゲーム要素貯留部と、
前記ゲーム要素選別部を通過し落下した第１ゲーム要素を載置する下段テーブルと、
を備えるゲーム機。
【請求項２】
請求項１に記載のゲーム機において、
前記下段テーブルに載置された第１ゲーム要素を移動して前記下段テーブルから落下させる下段移動部と、
前記下段テーブルから第１ゲーム要素が落下した場合に、第１ゲーム要素をこのゲーム機の外部に払い出す払い出し部とを備えること、
を特徴とするゲーム機。
【請求項３】
請求項１又は請求項２に記載のゲーム機において、
前記ゲーム要素選別部は、第１ゲーム要素を通過させ、かつ第２ゲーム要素を通過させないように規制する大きさの孔部を有すること、
を特徴とするゲーム機。
【請求項４】
請求項３に記載のゲーム機において、
前記第２ゲーム要素搬送部は、搬送方向に移動可能に設けられ、第１及び第２ゲーム要素が前記孔部上を移動するように搬送するベルト部を備えること、
を特徴とするゲーム機。
【請求項５】
請求項４に記載のゲーム機において、
前記ベルト部は、
通光性を有する材料により形成され、
前記上段テーブル側に第１及び第２ゲーム要素を配置した状態で第１及び第２ゲーム要素を搬送すること、
を特徴とするゲーム機。
【請求項６】
請求項１から請求項５までのいずれか１項に記載のゲーム機において、
前記上段テーブルから落下した第１及び第２ゲーム要素が滑落する滑落面を有し、
前記ゲーム要素選別部は、前記滑落面上に配置されていること、
を特徴とするゲーム機。
【請求項７】
請求項１から請求項６までのいずれか１項に記載のゲーム機において、
前記第２ゲーム要素貯留部に第２ゲーム要素が貯留された場合に、前記上段及び下段テーブルのうち少なくとも１つに、複数の第１ゲーム要素を供給する第１ゲーム要素供給部を備えること、
を特徴とするゲーム機。
【請求項８】
請求項１から請求項７までのいずれか１項に記載のゲーム機において、
第１及び第２ゲーム要素は、円盤状のメダルであること、
を特徴とするゲーム機。
【発明の詳細な説明】
【技術分野】
【０００１】
本発明は、ゲーム要素を利用したゲーム機に関するものである。
【背景技術】
【０００２】
従来、メダルを利用したプッシャタイプのメダルゲーム機があった（例えば特許文献１）。
しかし、従来のメダルゲーム機は、１種類のメダルを利用するものであり、プレイ態様が単純であった。
【先行技術文献】
【特許文献】
【０００３】
【特許文献１】特開２００５−２２４３２２号公報
【発明の概要】
【発明が解決しようとする課題】
【０００４】
本発明の課題は、複数の種類のゲーム要素を利用したプレイが可能なゲーム機を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、第１ゲーム要素（ＳＭ，２ＳＭ）及び第１ゲーム要素よりも外形が大きい第２ゲーム要素（ＢＭ，２ＢＭ）を混在した状態で載置する上段テーブル（１２，１２ｂ）と、前記上段テーブルに載置された第１及び第２ゲーム要素を移動して前記上段テーブルから落下させる上段移動部（１２，１２ａ）と、前記上段テーブルから落下した第１ゲーム要素を通過させかつ前記上段テーブルから落下した第２ゲーム要素を通過させないように規制するゲーム要素選別部（１４，２１４）と、前記ゲーム要素選別部によって規制された第２ゲーム要素を搬送する第２ゲーム要素搬送部（１５）と、前記第２ゲーム要素搬送部によって搬送された第２ゲーム要素を貯留する第２ゲーム要素貯留部（１６）と、前記ゲーム要素選別部を通過し落下した第１ゲーム要素を載置する下段テーブル（１９）と、を備えるゲーム機である。
第２の発明は、第１の発明のゲーム機において、前記下段テーブル（１９）に載置された第１ゲーム要素（ＳＭ，２ＳＭ）を移動して前記下段テーブルから落下させる下段移動部（１９，１９ａ）と、前記下段テーブルから第１ゲーム要素が落下した場合に、第１ゲーム要素をこのゲーム機（１，２０１）の外部に払い出す払い出し部（８）とを備えること、を特徴とするゲーム機である。
第３の発明は、第１又は第２の発明のゲーム機において、前記ゲーム要素選別部（１４，２１４）は、第１ゲーム要素（ＳＭ，２ＳＭ）を通過させかつ第２ゲーム要素（ＢＭ，２ＢＭ）を通過させないように規制する大きさの孔部（１４ａ，２１４ａ）を有すること、を特徴とするゲーム機である。
第４の発明は、第３の発明のゲーム機において、前記第２ゲーム要素搬送部（１５）は、搬送方向に移動可能に設けられ、第１（ＳＭ，２ＳＭ）及び第２ゲーム要素（ＢＭ，２ＢＭ）が前記孔部（１４ａ，２１４ａ）上を移動するように搬送するベルト部（１５ｃ）を備えること、を特徴とするゲーム機である。
第５の発明は、第４の発明のゲーム機において、前記ベルト部（１５ｃ）は、通光性を有する材料により形成され、前記上段テーブル側（１２，１２ｂ）に第１（ＳＭ，２ＳＭ）及び第２ゲーム要素（ＢＭ，２ＢＭ）を配置した状態で第１及び第２ゲーム要素を搬送すること、を特徴とするゲーム機である。
第６の発明は、第１から第５までのいずれかの発明のゲーム機において、前記上段テーブル（１２，１２ｂ）から落下した第１（ＳＭ，２ＳＭ）及び第２ゲーム要素（ＢＭ，２ＢＭ）が滑落する滑落面（１１ａ）を有し、前記ゲーム要素選別部（１４，２１４）は、前記滑落面上に配置されていること、を特徴とするゲーム機である。
第７の発明は、第１から第６までのいずれかの発明のゲーム機において、前記第２ゲーム要素貯留部（１６）に第２ゲーム要素（ＢＭ，２ＢＭ）が貯留された場合に、前記上段（１２）及び下段テーブル（１９）のうち少なくとも１つに、複数の第１ゲーム要素（ＳＭ，２ＳＭ）を供給する第１ゲーム要素供給部（３４）を備えること、を特徴とするゲーム機である。
第８の発明は、第１から第７までのいずれかの発明のゲーム機において、第１（ＳＭ，２ＳＭ）及び第２ゲーム要素（ＢＭ，２ＢＭ）は、円盤状のメダルであること、を特徴とするゲーム機である。
【発明の効果】
【０００７】
本発明によれば、以下の効果を奏することができる。
（１）本発明は、ゲーム要素選別部が第１ゲーム要素を通過させてその第１ゲーム要素を下段テーブルに載置し、一方、第２ゲーム要素を通過させずにその第２ゲーム要素を第２ゲーム要素貯留部に搬送する。これにより、２種類のゲーム要素を利用したプレイをすることができる。また、プッシャ台の固定テーブル等（上段テーブル）に２種類のゲーム要素を載置して、固定テーブル等から落下する途中でゲーム要素を選別した後に、第１ゲーム要素を下段テーブルでさらにプレイに利用し、プレイ態様を複雑にして、プレイの面白さを向上することができる。一方、貯留した第２ゲーム要素をゲーム要素の大量払い出し等のきっかけ等に利用することができる。さらに、２種類のゲーム要素を載置する上段テーブルを配置し、上段テーブルよりも下段側にゲーム要素選別部を配置し、さらに下段側に第１ゲーム要素のみを載置する下段テーブルを配置することによって、新しい形態のプレイ領域にできるので、プレイヤの興味をひくことができる。
（２）本発明は、下段移動部が下段テーブルから第１ゲーム要素を落下させた場合に、第１ゲーム要素を外部に払い出すので、上段テーブルから落下し下段テーブルに載置された第１ゲーム要素を利用してプッシャゲームをすることができる。
【０００８】
（３）本発明は、第１ゲーム要素を通過させかつ第２ゲーム要素を通過させないように規制する大きさの孔部を有するので、孔部を利用して第１及び第２ゲーム要素を選別することができる。
（４）本発明は、第１及び第２ゲーム要素が孔部上を移動するように搬送するベルト部を備えているので、搬送している第１及び第２ゲーム要素が孔部上を移動するときに第１及び第２ゲーム要素を選別することができる。
【０００９】
（５）本発明は、ベルト部が通光性を有する材料により形成され、上段テーブル側で第１及び第２ゲーム要素を搬送するので、外側（つまり上段テーブルとは反対側）からベルト部を透過して視認可能な状態で第１及び第２ゲーム要素を搬送することができる。また、透明なベルトによって視認可能な状態で第１及び第２ゲーム要素を搬送するという、従来にはない新しい態様にすることができ、さらに、メダルが搬送される態様を、面白く演出することができる。
（６）本発明は、ゲーム要素選別部が第１及び第２ゲーム要素が滑落する滑落面上に配置されているので、滑落している第１及び第２ゲーム要素を受け止めて選別する構成にすることができる。
【００１０】
（７）本発明は、第２ゲーム要素が第２ゲーム要素貯留部に貯留された場合に、上段及び下段テーブルのうち少なくとも１つに、複数の第１ゲーム要素を供給するので、第２ゲーム要素が貯留されたことをきっかけにして、第１ゲーム要素の大量払い出しをすることができる。
（８）本発明は、第１及び第２ゲーム要素が円盤状のメダルであるので、上記（１）〜（７）の効果を有するメダルプッシャゲームを提供することができる。
【図面の簡単な説明】
【００１１】
【図１】第１実施形態のゲーム機の斜視図である。
【図２】第１実施形態のプレイ領域及びプレイ部の斜視図である。
【図３】第１実施形態のプレイ部を拡大して示す図である。
【図４】図３（ａ）の２点鎖線内の拡大図である。
【図５】第１実施形態の孔部近傍を説明する図である。
【図６】第１実施形態のゲーム機の構成を説明する図である。
【図７】第２実施形態のゲーム機のメダル選別装置の孔部近傍を説明する図である。
【発明を実施するための形態】
【００１２】
（第１実施形態）
以下、図面等を参照して、本発明の実施形態について説明する。
図１は、第１実施形態のゲーム機１の斜視図である。
図１に示すように、ゲーム機１は、その外径が２ｍ程度の大型の装置であり、例えば、ゲームセンタ等に設置される。ゲーム機１は、平面形状が、例えば六角形であり、複数のプレイヤが独立してプレイ可能な複数のステーションＳＴを備えている。以下、主に、ステーションＳＴ１について説明するが、他のステーションについても同様な構造である。以下、左右方向Ｘ、奥行方向Ｙ、鉛直方向Ｚとして説明する。
【００１３】
ゲーム機１は、小メダル投入装置７Ｌ，７Ｒを利用してプレイ領域２へと小メダルＳＭを投入し、所定の条件を満足した場合に、大量の小メダルＳＭを外部に払い出すメダルプッシャ式のメダルゲーム機である。後述するように、ゲーム機１では、円盤状の小メダルＳＭ（第１ゲーム要素）と、小メダルＳＭよりも１回り大きな直径を有する円盤状の大メダルＢＭ（第２ゲーム要素）とを利用してプレイが行われる。大メダルＢＭには、ＲＦＩＤタグＢＭａ（図３参照）が内蔵されており、リーダ１７（図３参照）によって情報が読み取られる。
【００１４】
ゲーム機１は、プレイ領域２と、ケース４と、ウィンド５と、操作部６と、小メダル投入装置７Ｌ，７Ｒと、メダル払い出し口８（払い出し部）と、プレイ部１０とを備えている。
プレイ領域２は、プレイヤが小メダルＳＭを投入して、実際にゲームが行われる領域であり、プレイ部１０等が設けられている。
ケース４は、ゲーム機１の筐体である。
ウィンド５は、ゲーム機１の外部とプレイ領域２とを仕切るための部材であり、プレイ領域２を外部から視認できるように、例えば、透明なアクリル、ガラス等により形成される。
【００１５】
操作部６は、小メダル投入装置７Ｌ，７Ｒ等を配置するための部分であり、プレイヤが操作しやすいように、ケース４の正面に設けられている。
小メダル投入装置７Ｌ，７Ｒは、プレイヤが挿入した小メダルＳＭを、プレイ領域２に投入するための装置である。小メダル投入装置７Ｌ，７Ｒは、小メダルＳＭを投入する方向を調整できるように、左右方向Ｘに回転可能に設けられている。
小メダル投入装置７Ｌは、操作部６の左側Ｘ１に配置されている。小メダル投入装置７Ｌは、投入した小メダルＳＭが上段プッシャ台１２（図２参照）に載置されるように、メダル投入角度が設定されている。
小メダル投入装置７Ｒは、操作部６の右側Ｘ２に配置されている。小メダル投入装置７Ｒは、投入した小メダルＳＭが下段プッシャ台１９（図２参照）に載置されるように、メダル投入角度が設定されている。
【００１６】
メダル払い出し口８は、プレイヤが獲得した小メダルＳＭを払い出すための払い出し口であり、プレイヤが小メダルＳＭを取り出しやすいように、ケース４の正面に設けられている。
【００１７】
図２は、第１実施形態のプレイ領域２及びプレイ部１０の斜視図である。
図３は、第１実施形態のプレイ部１０を拡大して示す図である。
図３（ａ）は、プレイ部１０を滑落面１１ａの傾斜方向Ａの上側から見た断面図（図２に示すIII−III部矢視断面図）である。
図３（ｂ）は、プレイ部１０を滑落面１１ａの法線方向Ｂから見た図である。
図４は、図３（ａ）の２点鎖線内の拡大図である。
図５は、第１実施形態の孔部１４ａ近傍を説明する図である。
図５（ａ）、図５（ｃ）は、孔部１４ａ近傍を傾斜方向Ａの上側から見た図である。
図５（ｂ）、図５（ｄ）は、孔部１４ａ近傍を滑落面１１ａの法線方向Ｂから見た断面図である。
【００１８】
図２に示すように、プレイ部１０は、基部１１と、上段プッシャ台１２と、大メダル供給孔１３と、大小メダル選別装置１４（ゲーム要素選別部）と、メダル搬送装置１５（第２ゲーム要素搬送部）と、大メダル貯留装置１６（第２ゲーム要素貯留部）と、リーダ１７と、スロット１８と、下段プッシャ台１９と、小メダル供給孔２０と、チェッカ２１と、小メダル落下孔２２とを備えている。
【００１９】
基部１１は、プレイ部１０の基礎となる筐体である。基部１１の手前側Ｙ１は、滑落面１１ａになっており、上段固定テーブル１２ｂ（後述する）から押し出された大メダルＢＭが滑落するようになっている。滑落面１１ａは、傾斜方向Ａが、手前側Ｙ１に至る程下側Ｚ１に至るように形成されている。
【００２０】
上段プッシャ台１２は、複数の小メダルＳＭと複数の大メダルＢＭとを混在した状態で載置し、それらを手前側Ｙ１に押し出して搬送する装置である。上段プッシャ台１２は、基部１１の上側Ｚ２に配置され、つまり、下段プッシャ台１９よりも上側Ｚ２の領域に配置されている。上段プッシャ台１２は、上段往復テーブル１２ａ（上段移動部）と、上段固定テーブル１２ｂとを備えている。
上段往復テーブル１２ａは、駆動装置（図示せず）により、上段固定テーブル１２ｂに対して奥行方向Ｙに往復移動されるテーブルである。
上段固定テーブル１２ｂは、基部１１に固定されたテーブルである。
【００２１】
上段プッシャ台１２は、以下の２つの経路によって、小メダルＳＭ及び大メダルＢＭが載置されるようになっている。
（１）小メダル投入装置７Ｌから投入された小メダルＳＭは、上段往復テーブル１２ａが手前側Ｙ１に位置する場合には、上段往復テーブル１２ａ上に載置され、一方、上段往復テーブル１２ａが奥側Ｙ２に位置する場合には、上段固定テーブル１２ｂに載置されるようになっている。
（２）大メダル供給孔１３から供給された大メダルＢＭは、上段往復テーブル１２ａ上に載置される。なお、大メダル供給孔１３は、基部１１に設けられている。
【００２２】
上段往復テーブル１２ａ上に載置された小メダルＳＭ及び大メダルＢＭは、上段往復テーブル１２ａの往復移動にともなって基部１１の壁部に当接すると、玉突き現象により手前側Ｙ１に押し出されて移動して、上段固定テーブル１２ｂへと落下する。これによって、上段往復テーブル１２ａ及び上段固定テーブル１２ｂ上には、小メダルＳＭ及び大メダルＢＭが混在した状態で載置される。
上段固定テーブル１２ｂ上に載置された小メダルＳＭ及び大メダルＢＭは、往復移動する上段往復テーブル１２ａによって、玉突き現象により手前側Ｙ１に押し出されて移動して、滑落面１１ａへと落下する。
【００２３】
大小メダル選別装置１４は、滑落面１１ａ上に配置されている。大小メダル選別装置１４は、左右方向Ｘに長い平板状の部材であり、滑落面１１ａから直立するように設けられている。これによって、大小メダル選別装置１４は、滑落面１１ａを滑落してきた小メダルＳＭ及び大メダルＢＭを受け止めることができる。
【００２４】
図４に示すように、大小メダル選別装置１４は、複数の孔部１４ａが設けられている。孔部１４ａは、左右方向Ｘに並べられて配置されている。
孔部１４ａは、長手方向が左右方向Ｘである矩形の開口孔であり、奥側Ｙ２の縁部は、滑落面１１ａによって形成される。孔部１４ａは、短手方向（滑落面１１ａの法線方向Ｂ）の長さが、小メダルＳＭの厚みよりも大きく、かつ大メダルＢＭの厚みよりも大きい。また、左右方向Ｘの長さが、小メダルＳＭの直径よりも大きく、かつ大メダルＢＭの直径よりも小さい。これによって、孔部１４ａは、図５（ａ），図５（ｂ）に示すように、小メダルＳＭを滑落面１１ａの傾斜方向Ａの下側に通過させ、かつ図５（ｃ），図５（ｄ）に示すように、大メダルＢＭを傾斜方向Ａの下側に通過させないように規制する。
【００２５】
図３に示すように、メダル搬送装置１５は、大小メダル選別装置１４に受け止められた小メダルＳＭ及び大メダルＢＭを、右側Ｘ２に搬送する装置である。メダル搬送装置１５は、２つのローラ１５ａ，１５ｂと、ベルト１５ｃとを備えている。
ローラ１５ａ，１５ｂは、ベルト１５ｃが巻き掛けられており、ベルト１５ｃを回転させる。ローラ１５ａ，１５ｂは、ＤＣモータ等（図示せず）によって回転駆動される。
ベルト１５ｃは、通光性を有する透明な軟質剤（例えばゴム等）により形成される。ベルト１５ｃは、内側に突出するような複数の突起１５ｄが設けられている。各突起１５ｄは、傾斜方向Ａに沿った方向に設けられている。隣り合う突起１５ｄ間の間隔は、大メダルＢＭを収容できる大きさになっている。
ローラ１５ａ，１５ｂ及びベルト１５ｃは、プーリ（歯車）及び歯付きベルトからなる歯付きベルト伝動装置のような形態で駆動される。ベルト１５ｃは、図３（ａ）において半時計回り回転されて、法線方向Ｂの手前側の部分が右側Ｘ２（搬送方向）に移動するようになっている。
【００２６】
図４に示すように、ベルト１５ｃは、突起１５ｄが孔部１４ａ上を移動するように配置されている。ベルト１５ｃは、大小メダル選別装置１４に受け止められた小メダルＳＭ及び大メダルＢＭを、奥側Ｙ２つまり上段プッシャ台１２側に配置した状態で、突起１５ｄに引っ掛けて右側Ｘ２に搬送する。滑落面１１ａが傾斜しているので、小メダルＳＭ及び大メダルＢＭは、滑落面１１ａに寄り掛かりメダル裏面が滑落面１１ａに接した状態で搬送される。
【００２７】
図５（ａ），図５（ｂ）に示すように、ベルト１５ｃによって孔部１４ａ上に運ばれた小メダルＳＭは、孔部１４ａを傾斜方向Ａの下側に通過して、滑落面１１ａを滑落し下段プッシャ台１９に載置される。
図５（ｃ），図５（ｄ）に示すように、一方、ベルト１５ｃによって孔部１４ａ上に運ばれた大メダルＢＭは、孔部１４ａの縁部に引っ掛かり孔部１４ａを傾斜方向Ａの下側に通過することなく、突起１５ｄによって大小メダル選別装置１４に押し上げられて（図中矢印Ｅ，Ｆ参照）、再び右側Ｘ２に搬送されていく。
【００２８】
図３に示すように、大メダル貯留装置１６は、メダル搬送装置１５によって搬送された大メダルＢＭを貯留する装置である。大メダル貯留装置１６は、円盤１６ａと、モータ１６ｂとを備えている。
円盤１６ａは、搬送された大メダルＢＭを１枚ずつ貯留する５つの貯留孔１６ｃが設けられている。
モータ１６ｂは、円盤１６ａを中心回りに回転駆動する。
円盤１６ａは、下側に配置された貯留孔１６ｃがベルト１５ｃの真下にくるように配置されている。これによって、円盤１６ａは、下側に配置された貯留孔１６ｃに、搬送された大メダルＢＭを貯留するようになっている。
【００２９】
大メダルＢＭが下側に配置された貯留孔１６ｃに貯留されると、モータ１６ｂが円盤１６ａを回転駆動して、隣の貯留孔１６ｃを下側に配置する。これによって、大メダル貯留装置１６は、次に搬送された大メダルＢＭを貯留可能な状態になる。また、５つの貯留孔１６ｃに大メダルＭが貯留されると、回収装置（図示せず）がこれらの大メダルＢＭを大メダル収容部３１（図６参照）に収容する。
【００３０】
リーダ１７は、大メダルＢＭに内蔵されたＲＦＩＤタグＢＭａを読み取るＲＦＩＤリーダである。リーダ１７は、円盤１６ａよりも法線方向Ｂの奥側に、基部１１内部に配置されている。これにより、円盤１６ａに貯留された大メダルＢＭのＲＦＩＤタグＢＭａを読み取り、貯留孔１６ｃに大メダルＢＭが貯留されているか否かを検出する。制御部５０（図６参照）は、リーダ１７の検出に基づいて、円盤１６ａに貯留された大メダルＢＭの数量を判定することができる。
【００３１】
図２に示すように、スロット１８は、液晶表示装置等に表示された３桁の数字によって、抽選処理を行う装置である。スロット１８は、基部１１に設けられている。スロット１８は、小メダルＳＭがチェッカ２１を通過したときに抽選処理を行う。スロット１８の抽選処理は、制御部５０（図６参照）が行う。スロット１８による抽選の結果、制御部５０が小メダルＳＭの大量払い出しを行う。
【００３２】
下段プッシャ台１９は、基部１１の下部に配置されている。下段プッシャ台１９は、複数の小メダルＳＭを載置し、それらを手前側Ｙ１に押し出して搬送する装置である。下段プッシャ台１９は、基部１１よりも下側Ｚ１に配置されている。下段プッシャ台１９は、下段往復テーブル１９ａ（下段移動部）と、下段固定テーブル１９ｂとを備えている。
下段往復テーブル１９ａは、駆動装置（図示せず）により、下段固定テーブル１９ｂに対して奥行方向Ｙに往復移動されるテーブルである。
下段固定テーブル１９ｂは、基部１１に固定されたテーブルである。
【００３３】
下段プッシャ台１９は、以下の３つの経路によって、小メダルＳＭのみが載置されるようになっている。
（１）小メダル投入装置７Ｒから投入された小メダルＳＭは、下段往復テーブル１９ａが手前側Ｙ１に位置する場合には、下段往復テーブル１９ａ上に載置され、一方、下段往復テーブル１９ａが奥側Ｙ２に位置する場合には、下段固定テーブル１９ｂに載置される。
（２）大小メダル選別装置１４を通過し落下してきた小メダルＳＭは、下段往復テーブル１９ａに載置される。
（３）小メダル供給孔２０から供給された小メダルＳＭは、下段固定テーブル１９ｂに載置される。なお、小メダル供給孔２０は、基部１１に設けられている。
【００３４】
下段往復テーブル１９ａ上に載置された小メダルＳＭは、下段往復テーブル１９ａの往復移動にともなって基部１１に当接すると、玉突き現象により手前側Ｙ１に押し出されて移動して、下段固定テーブル１９ｂへと落下する。
下段固定テーブル１９ｂ上に載置された小メダルＳＭは、往復移動する下段往復テーブル１９ａによって、玉突き現象により手前側Ｙ１に押し出されて移動して、チェッカ２１に入賞するか、又は小メダル落下孔２２に落下する。
【００３５】
チェッカ２１は、下段固定テーブル１９ｂを移動してきた小メダルＳＭが落下して入賞する入賞部である。チェッカ２１は、下段固定テーブル１９ｂの手前側Ｙ１の部分を切り欠いて形成される。チェッカ２１は、内部に光学センサが設けられており、この光学センサが入賞した小メダルＳＭを検出し、制御部５０（図６参照）に検出信号を出力する。
【００３６】
小メダル落下孔２２は、下段固定テーブル１９ｂよりも手前側Ｙ１に設けられた開口孔である。小メダル落下孔２２は、メダル払い出し口８に連通しており、下段固定テーブル１９ｂから小メダルＳＭが落下した場合に、小メダルＳＭをメダル払い出し口８に払い出す。
【００３７】
図６は、第１実施形態のゲーム機１の構成を説明する図である。
ゲーム機１は、上記ハードウェアの他に、大メダル収容部３１と、小メダル収容部３２と、大メダル供給装置３３（第２ゲーム要素供給部）と、小メダル供給装置３４（第１ゲーム要素供給部）と、記憶部４０と、制御部５０とを備えている。
大メダル収容部３１及び小メダル収容部３２は、プレイヤが視認できないようにゲーム機１内部に収容されている。
大メダル収容部３１は、大メダル貯留装置１６に貯留した大メダルＢＭを回収して収容する容器である。
小メダル収容部３２は、下段プッシャ台１９に供給する小メダルＳＭを貯留する容器である。小メダル収容部３２は、下段固定テーブル１９ｂの左側Ｘ１及び右側Ｘ２から、プレイヤにわからないように落下（いわゆる親落ち）した小メダルＳＭを収容する。
【００３８】
大メダル供給装置３３は、大メダル収容部３１に収容されている大メダルＢＭを、大メダル収容部３１と大メダル供給孔１３との間を接続する搬送レール（図示せず）に送り出す装置である。これによって、大メダル収容部３１に収容されている大メダルＢＭは、大メダル供給孔１３から上段プッシャ台１２へと供給される。
【００３９】
小メダル供給装置３４は、小メダル収容部３２に収容されている小メダルＳＭを、小メダル収容部３２と小メダル供給孔２０との間を接続する搬送レール（図示せず）に送り出す装置である。これによって、小メダル収容部３２に収容されている小メダルＳＭは、小メダル供給孔２０から下段プッシャ台１９へと供給される。
【００４０】
記憶部４０は、ゲーム機１の動作に必要なプログラム、情報等を記憶するためのハードディスク、半導体メモリ素子等の記憶装置である。
制御部５０は、ゲーム機１を統括的に制御するための制御部であり、例えば、ＣＰＵ（中央処理装置）等から構成される。制御部５０は、ハードディスク等の記憶装置（図示せず）に記憶された各種プログラムを適宜読み出して実行することにより、前述したハードウェアと協働し、本発明に係る各種機能を実現している。
【００４１】
なお、本発明でコンピュータとは、記憶装置、制御装置等を備えた情報処理装置をいい、ゲーム機１は、記憶部４０、制御部５０等を備えた情報処理装置であり、本発明のコンピュータの概念に含まれる。
制御部５０は、前述したスロット１８、チェッカ２１、大メダル供給装置３３、小メダル供給装置３４、各装置等との間が電気ケーブル等によって接続されており、これらのハードウェアを制御するようになっている。制御部５０は、記憶部４０のプログラムによって動作する。
【００４２】
次に、ゲーム機１の動作を説明しながら、ゲーム機１でのプレイ方法を説明する。
図２に示すように、プレイヤが小メダル投入装置７Ｌ（図１参照）にメダル投入すると、小メダルＳＭが上段プッシャ台１２に載置される。上段プッシャ台１２は、上段往復テーブル１２ａの往復動作によって、上段固定テーブル１２ｂに載置されていた小メダルＳＭ及び大メダルＢＭを徐々に手前側Ｙ１に移動する。
【００４３】
（小メダルＳＭ及び大メダルＢＭの選別処理）
小メダルＳＭ、大メダルＢＭが上段固定テーブル１２ｂから落下し、滑落面１１ａを滑落すると、大小メダル選別装置１４は、滑落してきた小メダルＳＭ、大メダルＢＭを受け止める。
図４に示すように、メダル搬送装置１５は、大小メダル選別装置１４に受け止められた小メダルＳＭ、大メダルＢＭを右側Ｘ２へと搬送する。
【００４４】
なお、メダル搬送装置１５のベルト１５ｃは、透明であるので、搬送されていく小メダルＳＭ、大メダルＢＭは、プレイヤから視認可能である。
このように、透明なベルト１５ｃによって視認可能な状態でメダルを搬送するという態様は、従来とは異なる新しい態様であり、また、メダルが搬送される態様を、面白く演出することができる。
【００４５】
図５（ａ）、図５（ｂ）に示すように、小メダルＳＭは、メダル搬送装置１５によって孔部１４ａ上に移動されると孔部１４ａを通過して、再び滑落面１１ａを下段プッシャ台１９へと滑落する。
図５（ｃ）、図５（ｄ）に示すように、一方、大メダルＢＭは、メダル搬送装置１５によって孔部１４ａ上に移動されても孔部１４ａを通過することなく、再び右側Ｘ２に搬送されていく。
【００４６】
（大メダルＢＭの搬送処理〜貯留処理）
図３に示すように、メダル搬送装置１５は、大メダルＢＭを右側Ｘ２に搬送し、大メダルＢＭを大メダル貯留装置１６の円盤１６ａに貯留させる。
【００４７】
このように、ゲーム機１は、上段プッシャ台１２から滑落してきた小メダルＳＭを下段プッシャ台１９へと落下させ、一方、上段プッシャ台１２から落下してきた大メダルＢＭを大メダル貯留装置１６へと搬送する。
下段プッシャ台１９に落下した小メダルＳＭは、後述するように、下段プッシャ台１９によるプレイに利用される。一方、搬送された大メダルＢＭは、後述するように、スロット１８による大量払い出しの抽選処理のきっかけになる。
【００４８】
（大量払い出しの抽選処理）
図３に示すように、リーダ１７は、大メダル貯留装置１６の円盤１６ａに収容された大メダルＢＭのＲＦＩＤタグＢＭａを読み取り、制御部５０に検出信号を出力する。制御部５０は、この検出信号に基づいて、貯留された大メダルＢＭの数量を判定する。
制御部５０は、大メダル貯留装置１６の円盤１６ａに５枚の大メダルＢＭが貯留されたと判定した場合には、回収装置（図示せず）を制御して、大メダルＢＭを大メダル収容部３１に収容する。これと同時に、制御部５０は、スロット１８を制御して抽選処理を行う。
【００４９】
（小メダルＳＭの大量払い出し処理）
図２に示すように、制御部５０は、スロット１８に「７」が３桁揃った場合つまり「７７７」の場合には、小メダル供給装置３４を制御して１０００枚の小メダルＳＭを下段プッシャ台１９に供給して大量払い出しを行う。一方、制御部５０は、「７７７」以外の数字が表示された場合には、１０枚程度の小メダルＳＭを下段プッシャ台１９に供給する。
【００５０】
このように、小メダルＳＭが下段プッシャ台１９に１０００枚程度供給されると、小メダルＳＭが小メダル落下孔２２に落下しやすい状態となる。小メダル落下孔２２に小メダルＳＭが落下すると、小メダルＳＭが外部払い出し口８に払い出される。これによって、プレイヤは、より多くの小メダルＳＭを獲得することができる。
【００５１】
（下段プッシャ台１９でのプレイ）
プレイヤは、上記大量払い出し処理を狙って、小メダル投入装置７Ｌから上段プッシャ台１２に小メダルＳＭを投入することができる。一方、プレイヤは、下段プッシャ台１９から落下しそうな小メダルＳＭがあるとき等は、以下のように小メダルＳＭを手っ取り早く獲得したり、チェッカ２１への入賞を狙い大メダルＭの供給処理を狙うこともできる。
【００５２】
図２に示すように、小メダル投入装置７Ｒ（図１参照）から投入された小メダルＳＭは、下段プッシャ台１９に載置される。また、下段プッシャ台１９は、大小メダル選別装置１４の識別によって、小メダルＳＭのみが載置され大メダルＢＭが載置されることがない（図６に示す小メダル循環部１ｂ参照）。
下段往復テーブル１９ａ、下段固定テーブル１９ｂ上に載置された小メダルＳＭは、往復移動する下段往復テーブル１９ａによって、玉突き現象により手前側Ｙ１に押し出されて移動する。そして、下段固定テーブル１９ｂ上に載置された小メダルＳＭは、チェッカ２１に入賞するか、又は小メダル落下孔２２に落下する。プレイヤは、小メダル落下孔２２に落下した小メダルＳＭを獲得することができる。
【００５３】
（大メダルＢＭの供給処理）
下段固定テーブル１９ｂに載置されていた小メダルＳＭが手前側Ｙ１に移動して、チェッカ２１に落下すると、チェッカ２１内の光学センサ（図示せず）は、この小メダルＳＭを検出し制御部５０に検出信号を出力する。制御部５０は、この光学センサの出力に応じて、大メダル供給装置３３を制御して、大メダルＢＭを上段プッシャ台１２へと供給する。
ゲーム機１は、この大メダルＢＭの供給処理によって、大メダルＢＭを上段プッシャ台１２のみに供給し、かつ、上記小メダルＳＭ及び大メダルＢＭの選別処理等によって、下段プッシャ台１９に載置することがない。これによって、ゲーム機１は、大メダルＢＭを上段プッシャ台１２のみを経由し、下段プッシャ台１９を経由しないように循環させることができる（図６に示す大小メダル循環部１ａ参照）。
【００５４】
以上説明したように、ゲーム機１は、小メダルＳＭ及び大メダルＢＭの２種類のメダルを載置する上段プッシャ台１２を配置し、上段プッシャ台１２よりも下段側に大小メダル選別装置１４を配置し、さらに下段側に小メダルＳＭのみを載置する下段プッシャ台１９を配置する。これによって、ゲーム機１は、従来とは異なる新しく面白い形態のプレイ領域２を演出することができ、プレイヤの興味をひくことができる。
【００５５】
また、ゲーム機１は、上段プッシャ台１２からメダルが落下する途中で選別した後に、小メダルＳＭを下段プッシャ台１９でのプレイに利用し、一方、大メダルＢＭを大量払い出しのきっかけに利用することができる。これにより、２種類のメダルを利用して、プレイ態様を複雑にして、プレイの面白さを向上することができる。
【００５６】
（第２実施形態）
次に、本発明を適用したゲーム機の第２実施形態について説明する。
第２実施形態のゲーム機２０１は、第１実施形態の各メダルの大きさと、孔部１４ａの大きさとを変更したものである。
なお、以下の説明及び図面において、前述した第１実施形態と同様の機能を果たす部分には、同一の符号又は末尾に同一の符号を付して、重複する説明を適宜省略する。
【００５７】
図７は、第２実施形態のゲーム機２０１のメダル選別装置２１４の孔部２１４ａ近傍を説明する図である。
図７（ａ）、図７（ｃ）は、孔部２１４ａ近傍を滑落面１１ａの法線方向Ｂから見た断面図（第１実施形態の図５（ｂ）、図５（ｄ）に相当する図）である。
図７（ｂ）、図７（ｄ）は、孔部２１４ａ近傍を側面から見た断面図（図７（ａ）、図７（ｃ）を右側Ｘ２から見た断面図）である。
【００５８】
図７に示すように、小メダル２ＳＭと大メダル２ＢＭとは、直径が等しく、小メダル２ＳＭの厚みが大メダル２ＢＭの厚みよりも薄い。
孔部２１４ａは、短手方向（法線方向Ｂ）の長さが、小メダル２ＳＭの厚みよりも大きく、かつ大メダル２ＢＭの厚みよりも小さい。また、孔部２１４ａは、左右方向Ｘの長さが、小メダル２ＳＭ及び大メダル２ＢＭの直径よりも大きい。
これによって、ゲーム機２０１の孔部２１４ａは、図７（ａ）、図７（ｂ）に示すように、小メダル２ＳＭを滑落面１１ａの傾斜方向Ａに通過させ、かつ図７（ｃ）、図７（ｄ）に示すように、大メダル２ＢＭを傾斜方向Ａに通過させないように規制することができる。
【００５９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６０】
（変形形態）
（１）実施形態において、ゲーム機は、大量払い出し時に、小メダルを下段プッシャ台に供給する例を説明したが、これに限定されない。ゲーム機は、大量払い出し時に、小メダルを上段プッシャ台に供給してもよいし、あるいは、上段プッシャ台及び下段プッシャ台の両方に供給してもよい。小メダルを上段プッシャ台に供給した場合であっても、上段プッシャ台から落下した小メダルは、結局、メダル選別装置によって選別され、下段プッシャ台に供給される。このため、この場合にも、メダル獲得のチャンスを、プレイヤに与えることができる。
【００６１】
（２）本実施形態において、大メダルの種類は、１種類である例を示したが、これに限定されない。例えば、大メダルの種類を複数にして、種類を識別できるＲＦＩＤタグを内蔵してもよい。この場合、リーダの検出に基づいて、制御部が大メダル貯留装置に貯留した大メダルの種類の組み合わせを判定し、組み合わせを利用したプレイ進行（例えば、組み合わせに対応した数量の小メダルの払い出し等）をすることができる。
【符号の説明】
【００６２】
１，２０１…ゲーム機  、  ７Ｌ，７Ｒ…小メダル投入装置  、  ８…メダル払い出し口  、  １１ａ…滑落面  、  １２…上段プッシャ台  、  １２ａ…上段往復テーブル  、  １２ｂ…上段固定テーブル  、  １３…大メダル供給孔  、  １４，２１４…大小メダル選別装置  、  １４ａ，２１４ａ…孔部  、  １５…メダル搬送装置  、  １５ｃ…ベルト  、  １６…大メダル貯留装置  、  １６ａ…円盤  、  １６ｃ…貯留孔  、  １７…リーダ  、  １９…下段プッシャ台  、  １９ａ…下段往復テーブル  、  １９ｂ…下段固定テーブル  、  ２０…小メダル供給孔  、  ２１…チェッカ  、  ３３…大メダル供給装置  、  ３４…小メダル供給装置  、  ５０…制御部  、  ＢＭ，２ＢＭ…大メダル  、  ＳＭ，２ＳＭ…小メダル
【図１】
2010233784.tif 000003
【図２】
2010233784.tif 000004
【図３】
2010233784.tif 000005
【図４】
2010233784.tif 000006
【図５】
2010233784.tif 000007
【図６】
2010233784.tif 000008
【図７】
2010233784.tif 000009